(57)【要約】【課題】従来は、ひとつのティッシュ箱を紐付カバーや取り付け金具などを用いて、机やテーブルの裏面や側面に受け具を装着し、吊るしたり、固定したりしてティッシュ箱を取りつけていた。  または、単にテーブルや机などに置いて、常に置き場が不安定、かつ、時と場合によって邪魔でさえあった。【解決手段】テーブルランナーの両端部それぞれに、ティッシュ箱ホルダーを設けることで、テーブルや机を傷つけることなく、机やテーブル際に座る誰もがティッシュを必要な時に容易に素早くとることができるようにした。【選択図】図１
2019130261.tif 000002
【特許請求の範囲】
【請求項１】
机やテーブルの天板の中央長辺に載せられる主体部位は、帯状をなしたテーブルランナー部となっており、前記天板に載せられたとき前記天板から垂下する両端部それぞれに、ティッシュ箱ホルダー部を装着していることを特徴とするティッシュ箱ホルダー付きテーブルランナー。
【請求項２】
前記両端部のティッシュ箱ホルダー部それぞれ下方に取り付け部材を装着していることを特徴とする請求項１に記載のティッシュ箱ホルダー付きテーブルランナー。
【請求項３】
前記主体部位のテーブルランナー部と前記両端部のティッシュ箱ホルダー部それぞれの接着部分において、接合部材を装着していることを特徴とする請求項１または請求項２のいずれか一項に記載のティッシュ箱ホルダー付きテーブルランナー。
【発明の詳細な説明】
【技術分野】
【０００１】  本発明は、場所を取らず、取り付け金具を必要としない、ティッシュ箱を机やテーブル際に座った誰もが身近に、容易に取り出すことができ、かつ、インテリア性に富んだティッシュ箱ホルダー付きテーブルランナーに関するものである。
【背景技術】
【０００２】  従来は、ひとつのティッシュ箱を紐付カバーや取り付け金具などを用いて、机やテーブルの側面に受け具を装着し吊るしたり（［特許文献１］参照）、側面や裏面に固定して（［特許文献２］参照）ティッシュ箱を取りつけていた。
または、単に机やテーブルなどに置いて、常に置き場が不安定、かつ、時と場合によって邪魔でさえあった。
【先行技術文献】
【特許文献】
【０００３】
【特許文献１】特開２００５−１２４７００号公報
【特許文献２】特開２００３−１１２７８７号公報
【発明の概要】
【発明が解決しようとする課題】
【０００４】  従来、ティッシュ箱やティッシュケースは、机やテーブルの上に置くことが多く、ティッシュを使いたいとき近くに無かったり、手が届かなかったりしていた。
また、机やテーブルの裏面や側面に吊り下げた場合、インテリアとの調和を前提としたものは少なく、さらには取り付け金具によって机やテーブルに傷がついたり痕が残るなどしていた。
特許文献１は、ティッシュケースホルダーを予め固定しておく必要はないが、キャラクターホルダーの上面部分に取り付けられた吊り下げ紐或いはフックなどで吊り下げ手段を有する為、結局ティッシュケースホルダーを受ける面側にはフックなどの金具類を必要とする。
特許文献２は、ホルダー構成基材を直接壁面等にビスによって取り付ける為、受け側の壁面類が傷つく。また、テーブル裏面取り付けの場合、見にくく、手探りでティッシュの出入り口を取り当てることは容易ではなかった。
本発明は上記のような従来技術の問題点に鑑みて、ティッシュ箱ホルダーとその受ける面どちらにも取り付け金具を必要としない、ティッシュを机やテーブル際に座った誰もが身近に、容易に取り出すことができる、インテリア性を兼ね備えたティッシュ箱ホルダー付きテーブルランナーを明らかにすることを課題とする。
【課題を解決するための手段】
【０００５】  そこで、本発明は上記課題を解決するため、テーブルランナーの両端部それぞれに、ティッシュ箱ホルダー部を設けることで、机やテーブルを全く傷つけることなく、また、机やテーブル際に座る誰もがティッシュを必要な時に容易に素早くとることができるようにとした。
【発明の効果】
【０００６】  本発明は、机やテーブルの両端部それぞれにティッシュ箱を配置することで、食事時などにおいて他者にティッシュを取って欲しいと催促する必要もなく、テーブルランナーの延長線上に取り出し口がある為、凝視なくとも素早く得ることができる。
さらに、片端部のティッシュが万が一無くなっていた場合においても、反対端にティッシュがあるので素早い対応ができる。
両端部それぞれにティッシュ箱を吊り下げていることで重心が安定し、それ自体の移動ずれの生じ難い特徴をも持つ。
テーブルランナーの特性上、テーブルランナー部と、ティッシュ箱ホルダー部の素材、柄などを応用したり装飾などすることで、部屋の雰囲気を変えたり、季節感の演出もでき、室内他の装飾や質感と合わせるなども安価にて製作できる為、インテリア性においても気軽に充実させることができる。
以上により頭記した課題が解決できる。
【図面の簡単な説明】
【０００７】
【図１】本発明のティッシュ箱ホルダー付きテーブルランナーをテーブルに装着した状態を横方向から見た時に示す側面図である。
【図２】本発明のティッシュ箱ホルダー付きテーブルランナーをテーブルに装着し、補助ベルトを使用した状態を横方向から見た時に示す側面図と補助ベルトの正面図である。
【図３】本発明をティッシュ箱出し入れ裏側型で作成した場合を真上から見た時に示す正面図である。
【図４】本発明をティッシュ箱出し入れ裏側型で作成した場合を真裏から見た時に示す正面図である。
【図５】本発明をティッシュ箱出し入れ横側型で作成した場合を真上から見た時に示す正面図である。
【図６】本発明のティッシュ箱ホルダー付きテーブルランナーをテーブルに装着した状態を縦方向から見た時に示す斜視図である。
【図７】本発明のティッシュ箱ホルダー付きテーブルランナーをテーブルに装着した状態を横方向から見た時に示す斜視図である。
【図８】本発明のティッシュ箱ホルダー付きテーブルランナーに、さらに各種の整理収納ホルダーを吊り下げテーブルに装着した状態を横方向から見た時に示す斜視図である。
【図９】新聞収納ホルダーを横方向から見た時に示す斜視図である。
【図１０】薬、文房具ホルダーを真上から見た時に示す正面図である。
【図１１】本発明をティッシュ箱出し入れ横側型裏面延設形で作成した場合を真上から見た時に示す正面図である。
【図１２】本発明をティッシュ箱出し入れ横側型裏面延設形で作成した場合を真裏から見た時に示す正面図である。
【図１３】本発明のティッシュ箱ホルダー付きテーブルランナーのティッシュ箱出し入れ裏側型を接合部材１６にて、テーブルランナー部１とティッシュ箱ホルダー部２を取り外しできるようにした場合を真上から見た時に示す正面図である。
【図１４】本発明のティッシュ箱ホルダー付きテーブルランナーのティッシュ箱出し入れ横側型を接合部材１６にて、テーブルランナー部１とティッシュ箱ホルダー部２を取り外しできるようにした場合を真上から見た時に示す正面図である。
【図１５】本発明のティッシュ箱ホルダー付きテーブルランナーのティッシュ箱出し入れ裏側型を接合部材１６にて、テーブルランナー部１とティッシュ箱ホルダー部２を取り外しできるようにした場合を真上から見た時に示す正面図である。
【図１６】本発明のティッシュ箱ホルダー付きテーブルランナーをテーブルに装着し、接合部材１６にて、テーブルランナー部１とティッシュ箱ホルダー部２を取り外しできるようにした場合を横方向から見た時に示す正面図である。
【発明を実施するための形態】
【０００８】  以下、本発明の実施の形態を図面に基づいて説明する。
【０００９】  図１においては、本発明のティッシュ箱ホルダー付きテーブルランナーをテーブルの天板の中央長辺に装着した実施例である。帯状にテーブルから垂下されたテーブルランナー部１の長手方向両端部に市販のティッシュ箱を設置したティッシュ箱ホルダー部２を縫合もしくは接合３している。
前記テーブルランナー部１とティッシュ箱ホルダー部２は、布、皮、織物、塩化ビニールなど、柔軟性のある部材からなることを特徴とする。
【００１０】  本発明のティッシュ箱ホルダー付きテーブルランナーは、机やテーブルの両端部それぞれにティッシュ箱を配置することで、食事時などにおいて他者にティッシュを取って欲しいと催促する必要もなく、テーブルランナーの延長線上に取り出し口がある為、凝視なくとも素早く得ることができる。さらに、片端部のティッシュが万が一無くなっていた場合においても、反対端にティッシュがあるので素早い対応ができる。
【００１１】  図２においては、前記図１に示した本発明のティッシュ箱ホルダー付きテーブルランナーをテーブルに装着した後、補助ベルト７ａを両端部のティッシュ箱ホルダー部２に装着した取り付け部材６にそれぞれ通し、繋ぎ合わせることで、テーブルの天板９裏側へ移動した場合の実施例である。この場合の取り付け部材６は、補助ベルト７ａを通して両端部それぞれのティッシュ箱ホルダー２を内側へ移動させることを特徴としている。
【００１２】  取り付け部材６とは、本発明のティッシュ箱ホルダー付きテーブルランナーをテーブルの天板９に載せ、テーブルの天板９から垂下する両端部それぞれのティッシュ箱ホルダー部２が互いに向かい合った際、ティッシュ箱ホルダー部２の下面か内側下方近傍に、たるみなく装着した紐状でループ型の部材である。前記取り付け部材６は、ティッシュ箱ホルダー部２と同じ素材もしくは同等の布、皮、織物、塩化ビニールなどを紐状に製作したものとする。
【００１３】  補助ベルト７ａとは、一般的にマジックベルトといわれるものに類似した、伸縮性があり、全面マジックテープ７ｂ型となる、任意の部位を固定できる形状とする。来客時など、通常以上の人数でテーブル際に座ることがある場合においても、ティッシュ箱ホルダー部２が天板裏へ移動する為、邪魔になることもなく、テーブル際に座る全ての人が容易にティッシュを取ることができる。テーブルの素材が大理石やガラス天板など金具取り付けの難しい場合などにも対応できる。横吊るし型から天板裏型へ、その時の用途によって単純変化する。
【００１４】  図３においては、本発明のティッシュ箱ホルダー付きテーブルランナーを表面に広げた第一の実施例である。ティッシュ取り出し口４の開口部は重ねず、開き過ぎず、市販のティッシュ箱のフィルム幅に考慮することで、ティッシュ一枚ずつの取り出しを容易にする。前記ティッシュ取り出し口４は、本発明の第一、第二の実施例どちらの場合のティッシュ箱交換口５においても同様である。
【００１５】  図４においては、図３の本発明のティッシュ箱ホルダー付きテーブルランナーを裏面に広げた第一の実施例である。ティッシュ箱ホルダー部２裏面のティッシュ箱交換口５に取り付けたティッシュ箱交換口保持部材５ａの例えば平ゴムなどのストレッチバンドを垂下方向に２本たるみなく張ることで、ティッシュ箱を設置した時、ティッシュ取り出し口４前面側にティッシュがしっかり寄るので、最後の一枚まで取り出し易くなる。さらに、平ゴムでティッシュ箱交換口５が大きく開口するため容易なティッシュ箱交換ができる。ティッシュ箱交換口保持部材５ａの伸縮によって、ある程度ティッシュ箱の大きさの違いにも対応できる。前記平ゴム２本をティッシュ箱交換口保持部材として取り付けるとは一案に過ぎず、平ゴム等ストレッチバンドの幅や伸縮度によって調整できるものとする。
【００１６】  図５においては、本発明のティッシュ箱ホルダー付きテーブルランナーのティッシュ箱ホルダー部２のティッシュ箱交換口５を図４の裏側型から横側型とした第二の実施例である。ティッシュ箱交換口５は、ティッシュ箱交換口留め部材５ｂを例えばマジックテープやスナップボタン等を用いて開け閉めが容易であるものとする。机やテーブルの設置状態や生活環境などにより、裏側型でのティッシュ箱の交換が難しい場合などに対応する。なお、図４の第一、図５の第二の実施例は、ティッシュ交換口５以外は全て同仕様とする。
【００１７】  図６においては、本発明のティッシュ箱ホルダー付きテーブルランナーをテーブルの天板に装着した実施例である。テーブルランナー部１の両端部それぞれにティッシュ箱を吊り下げていることで重心が安定し、それ自体の移動ずれの生じ難い特徴を持つ。
【００１８】  図７においては、本発明のティッシュ箱ホルダー付きテーブルランナーをテーブルの天板に装着した実施例である。テーブルランナー部１は、テーブル全体を覆っていないことで、テーブルの特徴例えば大理石、ガラス天板、天然木無垢材等のテーブル自体のインテリア性や特徴を損なわない。テーブルランナーの特性上、テーブルランナー部１と、ティッシュ箱ホルダー部２の素材、柄などを応用したり装飾などすることで、部屋の雰囲気を変えたり、季節感の演出もでき、室内他の装飾や質感と合わせるなども安価にて製作できるため、インテリア性においても気軽に充実させることができる。
【００１９】  図８、図９、図１０においては、本発明のティッシュ箱ホルダー付きテーブルランナーに、さらに各種の整理収納ホルダーを吊り下げ、テーブルに装着した第三の実施例である。両端部のティッシュ箱ホルダー部２それぞれに装着した取り付け部材６と、各種の整理ホルダーに取り付けた連結材１４例えば紐１４ａや樹脂性フック１４ｂ等を利用することで、ティッシュ箱同様、机やテーブル上で時に邪魔となる新聞１２などを図９の実施例のように、片端部のティッシュ箱ホルダー２に新聞収納ホルダー１１を連結させることで収納できる。
【００２０】  各種の整理収納ホルダーと連結部材１４の取り付けは、連結部材（紐）１４ａなどは直接各種の整理収納ホルダーに縫合または接合、連結部材（フック）１４ｂなどは各種収納ホルダーと同素材または類似する縫合または接合し易いループ状間接部材１４ｃを間に挟むことで、各種の整理収納ホルダーと連結材１４を繋ぎ合わせることができる。この場合の取り付け部材６は、各種の整理収納ホルダーに取り付けた連結材１４を用いて、両端部それぞれのティッシュ箱ホルダー部２に各種の整理収納ホルダーを吊り下げることを特徴としている。
【００２１】  さらに、ティッシュ箱、新聞同様に日々の内服薬を机やテーブル上に出したままにすることなく、飲み忘れ防止にもなる様、図１０の実施例のような薬、文房具収納ホルダー１３を前記図９の新聞収納ホルダー１１と対になるよう、もう片端部のティッシュ箱ホルダー部２の取り付け部材６にて連結することで、卓上の乱雑を避けることができる。本発明のティッシュ箱ホルダー付きテーブルランナーの部材が布の場合において、薬、文房具収納ホルダーは布に統一することもできるし、内容物を分かり易くするため塩化ビニール類の透明性ある部材で製作することもできる。
【００２２】  新聞収納ホルダー１１、薬、文房具収納ホルダー１３は一案に過ぎず、取り付け部材６と連結部材１４を活用し、各種の整理収納ホルダーを連結し、多様性に柔軟な対応ができる。連結部材１４においても、連結部材（紐）１４ａや連結部材（樹脂フック）１４ｂは一案に過ぎず、一般的に利用されているリングキャッチやカラビナ等の金属金具などに代替もできる。
【００２３】  図１１、図１２においては、本発明のティッシュ箱ホルダー付きテーブルランナーの図５で示したティッシュ箱ホルダー部２のティッシュ箱交換口５横側型を、ティッシュ箱交換口横側型裏面延設形にした第四の実施例である。両端部それぞれのティッシュ箱ホルダー部２の裏面の縫合もしくは接合部分３と反する側を外方向へ広げることで、表面にポケット類作成部１５ができる。前記ポケット類作成部１５にテーブルランナー部１と同じ素材でポケットを取り付け、もしくは透明の塩化ビニール類の素材を利用してポケット作成もできる。なお、ポケットは一案に過ぎずポケット類作成部１５を筒状に折り返して収納部を作成するなど、多様性に柔軟な対応ができる。前記ティッシュ箱ホルダー部２同様、下方に取り付け部材６を備え、前記用途にも対応する。
【００２４】  図１３、図１４においては、本発明のティッシュ箱ホルダー付きテーブルランナーの縫合もしくは接着部分３に接合部材１６を装着し、テーブルランナー部１とティッシュ箱ホルダー部２を取り外しできるようにした第五の実施例である。図１３においては、前記図３で示した本発明のティッシュ箱交換口５裏側型を、テーブルランナー部１と両端部それぞれのティッシュ箱ホルダー部２とを接合部材１６にて、取り外しできるものにした実施例である。図１４においては、前記図４で示した本発明のティッシュ箱交換口５横側型を、テーブルランナー部１と両端部それぞれのティッシュ箱ホルダー部２とを接合部材１６にて、取り外しできるものにした実施例である。
【００２５】  接合部材１６は、例えばテープスナップや、一般的に強力マジックテープといわれる従来のマジックテープに比べ結着力が強く、耐荷重、耐久性に優れたものとする。リビングやその近傍において、早急に大量のティッシュを要する場合など、一時的に本発明のティッシュ箱付きテーブルランナーから取り外して突発的な不測の事態の発生に対応する。接合部材１６以外は、前記ティッシュ箱ホルダー部２同様、下方に取り付け部材６を備え、前記用途にも対応する。
【００２６】  図１５、図１６においては、本発明のティッシュ箱ホルダー付きテーブルランナーの縫合もしくは接着部分３を接合部材１６にて、テーブルランナー部１とティッシュ箱ホルダー部２を取り外しできるようにした場合の実施例である。例えば、キッチンカウンターなどにテーブルの片端を寄せて設置している場合、接合部材１６にてテーブルに接地された片側一方のティッシュ箱ホルダー部２を裏表返すことでティッシュ取り出し口４を塞ぐことなく、図１６のように、片側一方のみティッシュ箱ホルダー部２を内向き状態にして利用することができる。ティッシュ箱ホルダー２を内向き状態にした場合においても、テーブルランナーの延長線上にティッシュ取り出し口４があるため、容易にティッシュを得ることができる。接合部材１６以外は、前記ティッシュ箱ホルダー部２同様、下方に取り付け部材６を備え、前記用途にも対応する。
【００２７】  以上、本発明のティッシュ箱付きテーブルランナーを実施例に基づき説明したが、本発明は上記実施例に限定されるものではなく、本発明の趣旨を剥奪しない範囲内で色々な改良、変形、造作が可能であることは容易に推察できるものであるとする。
【符号の説明】
【００２８】  １    テーブルランナー部
２    ティッシュ箱ホルダー部
３    縫合もしくは接着部分
４    ティッシュ取り出し口
５    ティッシュ箱交換口
５ａ  ティッシュ箱交換口保持部材
５ｂ  ティッシュ箱交換口留め部材
６    取り付け部材
７ａ  補助ベルト
７ｂ  マジックテープ
８    ティッシュ
９    机やテーブルの天板
１０    机やテーブル机の脚
１１    新聞収納ホルダー
１２    新聞
１３    薬、文房具収納ホルダー
１４    連結部材
１４ａ  連結部材（紐）
１４ｂ  連結部材（フック）
１４ｃ  ループ状間接部材
１５    ポケット類作成部
１６    接合部材
【図１】
2019130261.tif 000003
【図２】
2019130261.tif 000004
【図３】
2019130261.tif 000005
【図４】
2019130261.tif 000006
【図５】
2019130261.tif 000007
【図６】
2019130261.tif 000008
【図７】
2019130261.tif 000009
【図８】
2019130261.tif 000010
【図９】
2019130261.tif 000011
【図１０】
2019130261.tif 000012
【図１１】
2019130261.tif 000013
【図１２】
2019130261.tif 000014
【図１３】
2019130261.tif 000015
【図１４】
2019130261.tif 000016
【図１５】
2019130261.tif 000017
【図１６】
2019130261.tif 000018